【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
医用画像撮影装置により撮影した被検体の断層像を読み込む工程と、
前記断層像から被検体の体組織領域を抽出する抽出工程と、
前記断層像から被検体の凹部を撮影した凹部領域を検出する検出工程と、
前記検出工程において検出された凹部領域のうち、被検体のへそ形状に近い凹部領域を選別する選別工程と、
を含むことを特徴とする医用画像診断支援方法。
【請求項２】
前記選別工程において選別された凹部領域が、前記体組織領域内において被検体のへそが位置すると想定される所定の範囲内にあるか否かを判別する判別工程を更に含む、
ことを特徴とする請求項１に記載の医用画像診断支援方法。
【請求項３】
前記判別工程において、前記体組織領域が所定数の分割領域に分割され、前記体組織領域と前記分割領域との相対的な位置関係に基づいて、被検体のへそが含まれると想定されるへそ分割領域が決定され、前記選別工程において選別された凹部領域が前記へそ分割領域に含まれているか否かに基づいて判別される、
ことを特徴とする請求項２に記載の医用画像診断支援方法。
【請求項４】
前記判別工程において、前記体組織領域の重心を通る基準線と、前記体組織領域の重心及び前記凹部領域を構成する画素点を通る直線と、がなす角度が、所定の角度範囲内に含まれるか否かに基づいて判別される、
ことを特徴とする請求項２に記載の医用画像診断支援方法。
【請求項５】
前記判別工程において、前記体組織領域に含まれる脊髄領域の重心を通る基準線と、前記脊髄領域の重心及び前記凹部領域を構成する画素点を通る直線と、がなす角度が、所定の角度範囲内に含まれるか否かに基づいて判別される、
ことを特徴とする請求項２に記載の医用画像診断支援方法。
【請求項６】
前記選別工程において選別された凹部領域が、前記体組織領域内において被検体のへそが位置すると想定される所定の範囲内にないと前記判別工程において判別された場合に、前記断層像が被検体のへそ位置で撮影されたものではない旨を伝える表示をする表示工程を更に含む、
ことを特徴とする請求項２乃至５の何れか一に記載の医用画像診断支援方法。
【請求項７】
前記判別工程において、前記凹部領域が前記断層像における被検体のへそが位置すると想定される所定の範囲内にないと判別された場合に、
前記読み込む工程において、他の断層像が更に読み込まれ、
前記抽出工程と前記検出工程と前記選別工程と前記判別工程において、読み込まれた前記他の断層像に対して各工程における処理が行われ、
前記読み込む工程は、前記判別工程において前記凹部領域が前記断層像における被検体のへそが位置すると想定される所定の範囲内にあると判別されるまで、繰り返される、
ことを特徴とする請求項２乃至６の何れか一に記載の医用画像診断支援方法。
【請求項８】
請求項１乃至請求項７の何れか一に記載の医用画像診断支援方法をコンピュータに実行させることを特徴とする医用画像診断支援プログラム。
【請求項９】
医用画像撮影装置により撮影した被検体の断層像を読み込む入力手段と、
前記断層像から被検体の体組織領域を抽出すると共に、前記断層像から被検体の凹部を撮影した凹部領域を検出し、前記凹部領域のうち、被検体のへそ形状に近い凹部領域を選別するデータ処理手段と、
前記データ処理手段により選別された凹部領域に基づいて、該凹部領域が被検体のへそ領域であるか否かの情報を出力する手段と、
を備えることを特徴とする医用画像診断支援装置。
【請求項１０】
前記データ処理手段は、前記選別された凹部領域が、前記体組織領域内において被検体のへそが位置すると想定される所定の範囲内にあるか否かを判別する、
ことを特徴とする請求項９に記載の医用画像診断支援装置。
【請求項１１】
前記データ処理手段は、前記体組織領域を所定数の分割領域に分割し、前記体組織領域と前記分割領域との相対的な位置関係に基づいて、被検体のへそが含まれると想定されるへそ分割領域を決定し、前記選別された凹部領域が前記へそ分割領域に含まれているか否かに基づいて、前記凹部領域が前記所定範囲内にあるか否かを判別する、
ことを特徴とする請求項１０に記載の医用画像診断支援装置。
【請求項１２】
前記データ処理手段は、前記体組織領域の重心を通る基準線と、前記体組織領域の重心及び前記凹部領域を構成する画素点を通る直線と、がなす角度が、所定の角度範囲内に含まれるか否かに基づいて、前記凹部領域が前記所定範囲内にあるか否かを判別する、
ことを特徴とする請求項１０に記載の医用画像診断支援装置。
【請求項１３】
前記データ処理手段は、前記体組織領域に含まれる脊髄領域の重心を通る基準線と、前記脊髄領域の重心及び前記凹部領域を構成する画素点を通る直線と、がなす角度が、所定の角度範囲内に含まれるか否かに基づいて、前記凹部領域が前記所定範囲内にあるか否かを判別する、
ことを特徴とする請求項１０に記載の医用画像診断支援装置。
【請求項１４】
前記情報を出力する手段は、前記選別された凹部領域が、前記体組織領域内において被検体のへそが位置すると想定される所定の範囲内にないと判別した場合に、前記断層像が被検体のへそ位置で撮影されたものではない旨を伝える表示を行う、
ことを特徴とする請求項１０乃至１３の何れか一に記載の医用画像診断支援装置。
【請求項１５】
前記入力手段は、前記凹部領域が前記断層像における被検体のへそが位置すると想定される所定の範囲内にないと判別された場合に、他の断層像を更に読み込み、
前記データ処理手段と前記情報を出力する手段とは、読み込んだ前記他の断層像に対しても処理を行い、
前記入力手段は、前記凹部領域が前記断層像における被検体のへそが位置すると想定される所定の範囲内にあると判別するまで他の断層像の読み込みを繰り返す、
ことを特徴とする請求項１０乃至１４の何れか一に記載の医用画像診断支援装置。
【手続補正２】
【補正対象書類名】明細書
【補正対象項目名】発明の名称
【補正方法】変更
【補正の内容】
【発明の名称】医用画像診断支援方法、医用画像診断支援プログラム、及び医用画像診断支援装置
【手続補正３】
【補正対象書類名】明細書
【補正対象項目名】０００１
【補正方法】変更
【補正の内容】
【０００１】
本発明は、医用画像診断支援方法、医用画像診断支援プログラム、及び医用画像診断支援装置に係り、特にへそ位置で撮影されたＣＴ画像を特定する方法、プログラム及び装置に関する。
【手続補正４】
【補正対象書類名】明細書
【補正対象項目名】０００８
【補正方法】変更
【補正の内容】
【０００８】
また、前記判別工程において、前記体組織領域が所定数の分割領域に分割され、前記体組織領域と前記分割領域との相対的な位置関係に基づいて、被検体のへそが含まれると想定されるへそ分割領域が決定され、前記選別工程において選別された凹部領域が前記へそ分割領域に含まれているか否かに基づいて判別してもよい。
【手続補正５】
【補正対象書類名】明細書
【補正対象項目名】０００９
【補正方法】変更
【補正の内容】
【０００９】
また、前記判別工程において、前記体組織領域の重心を通る基準線と、前記体組織領域の重心及び前記凹部領域を構成する画素点を通る直線と、がなす角度が、所定の角度範囲内に含まれるか否かに基づいて判別してもよい。
【手続補正６】
【補正対象書類名】明細書
【補正対象項目名】００１０
【補正方法】変更
【補正の内容】
【００１０】
また、前記判別工程において、前記体組織領域に含まれる脊髄領域の重心を通る基準線と、前記脊髄領域の重心及び前記凹部領域を構成する画素点を通る直線と、がなす角度が、所定の角度範囲内に含まれるか否かに基づいて判別してもよい。
【手続補正７】
【補正対象書類名】明細書
【補正対象項目名】００１１
【補正方法】変更
【補正の内容】
【００１１】
また、前記選別工程において選別された凹部領域が、前記体組織領域内において被検体のへそが位置すると想定される所定の範囲内にないと前記判別工程において判別された場合に、前記断層像が被検体のへそ位置で撮影されたものではない旨を伝える表示をする表示工程を更に含んでもよい。
【手続補正８】
【補正対象書類名】明細書
【補正対象項目名】００１２
【補正方法】変更
【補正の内容】
【００１２】
また、前記判別工程において、前記凹部領域が前記断層像における被検体のへそが位置すると想定される所定の範囲内にないと判別された場合に、前記読み込む工程において、他の断層像が更に読み込まれ、前記抽出工程と前記検出工程と前記選別工程と前記判別工程において、読み込まれた前記他の断層像に対して各工程における処理が行われ、前記読み込む工程は、前記判別工程において前記凹部領域が前記断層像における被検体のへそが位置すると想定される所定の範囲内にあると判別されるまで、繰り返されてもよい。
さらに、前記目的を達成するために、本発明に係る医用画像診断支援プログラムは、請求項１乃至請求項７の何れか一に記載の医用画像診断支援方法をコンピュータに実行させる。
【手続補正９】
【補正対象書類名】明細書
【補正対象項目名】００１３
【補正方法】変更
【補正の内容】
【００１３】
また、本発明に係る医用画像診断支援装置は、医用画像撮影装置により撮影した被検体の断層像を読み込む入力手段と、前記断層像から被検体の体組織領域を抽出すると共に、前記断層像から被検体の凹部を撮影した凹部領域を検出し、前記凹部領域のうち、被検体のへそ形状に近い凹部領域を選別するデータ処理手段と、前記データ処理手段により選別された凹部領域に基づいて、該凹部領域が被検体のへそ領域であるか否かの情報を出力する手段と、を備える。
前記データ処理手段は、前記選別された凹部領域が、前記体組織領域内において被検体のへそが位置すると想定される所定の範囲内にあるか否かを判別してもよい。
また、前記データ処理手段は、前記体組織領域を所定数の分割領域に分割し、前記体組織領域と前記分割領域との相対的な位置関係に基づいて、被検体のへそが含まれると想定されるへそ分割領域を決定し、前記選別された凹部領域が前記へそ分割領域に含まれているか否かに基づいて、前記凹部領域が前記所定範囲内にあるか否かを判別してもよい。
また、前記データ処理手段は、前記体組織領域の重心を通る基準線と、前記体組織領域の重心及び前記凹部領域を構成する画素点を通る直線と、がなす角度が、所定の角度範囲内に含まれるか否かに基づいて、前記凹部領域が前記所定範囲内にあるか否かを判別してもよい。
また、前記データ処理手段は、前記体組織領域に含まれる脊髄領域の重心を通る基準線と、前記脊髄領域の重心及び前記凹部領域を構成する画素点を通る直線と、がなす角度が、所定の角度範囲内に含まれるか否かに基づいて、前記凹部領域が前記所定範囲内にあるか否かを判別してもよい。
また、前記情報を出力する手段は、前記選別された凹部領域が、前記体組織領域内において被検体のへそが位置すると想定される所定の範囲内にないと判別した場合に、前記断層像が被検体のへそ位置で撮影されたものではない旨を伝える表示を行ってもよい。
また、前記入力手段は、前記凹部領域が前記断層像における被検体のへそが位置すると想定される所定の範囲内にないと判別された場合に、他の断層像を更に読み込み、前記データ処理手段と前記情報を出力する手段とは、読み込んだ前記他の断層像に対しても処理を行い、前記入力手段は、前記凹部領域が前記断層像における被検体のへそが位置すると想定される所定の範囲内にあると判別するまで他の断層像の読み込みを繰り返してもよい。